(57)【要約】【課題】携行時や保管時に蓋体が破損するのを容易に防止でき、かつ容易に製造できるＰＴＰを提供する。【解決手段】基材シートの一方の面に開口し被包装物６０を収容する凹部２０が形成された容体３と前記凹部２０の開口面２２を塞ぐ蓋体４とを備え、前記凹部２０が形成された領域である収容部１０と該収容部１０に延設された延設部３０とが形成され、前記収容部１０と前記延設部３０との境界に前記蓋体４を内側にして折り曲げる折曲部４０が形成され、前記折曲部４０で折り曲げられた際に、前記収容部１０と前記延設部３０とを係合する係合構造を備えるプレススルーパック２において、前記係合構造は、前記収容部１０及び前記延設部３０のそれぞれの端部１１、３１に形成された切込線１２、３２であることよりなる。【選択図】図１
2013119397.tif 000002
【特許請求の範囲】
【請求項１】
基材シートの一方の面に開口し被包装物を収容する凹部が形成された容体と前記凹部の開口面を塞ぐ蓋体とを備え、前記凹部が形成された領域である収容部と該収容部に延設された延設部とが形成され、前記収容部と前記延設部との境界に前記蓋体を内側にして折り曲げる折曲部が形成され、前記折曲部で折り曲げられた際に、前記収容部と前記延設部とを係合する係合構造を備えるプレススルーパックにおいて、
前記係合構造は、前記収容部及び前記延設部のそれぞれの端部に形成された切込線であることを特徴とするプレススルーパック。
【請求項２】
前記容体の前記延設部には、表示部が形成されていることを特徴とする請求項１に記載のプレススルーパック。
【請求項３】
請求項１又は２に記載のプレススルーパックに、薬剤が収容されたことを特徴とするプレススルーパック包装体。
【発明の詳細な説明】
【技術分野】
【０００１】
本発明は、プレススルーパック及びプレススルーパック包装体に関する。
【背景技術】
【０００２】
プレススルーパック（以下、ＰＴＰということがある）は、樹脂製の基材シートの一方の面に開口する凹部が、基材シートの他方の面に膨出して設けられた容体と、凹部の開口面を覆うアルミ箔等の蓋体とを備え、凹部に被包装物を収容するものである。ＰＴＰに収容された被包装物を取り出す際は、凹部の膨出面を指で押して蓋体を破き、被包装物を凹部から取り出す。
ＰＴＰは、凹部の膨出面を指で押すことで容易に被包装物を取り出せることから、錠剤やカプセル剤等の薬剤の包装容器として多用されている。
【０００３】
ＰＴＰに薬剤を収容したＰＴＰ包装体は、用法に応じた薬剤を収容した単位とされるか、又は切り離し線が形成されており、使用者は、用法及び用量に応じて、必要量の薬剤が収容されたＰＴＰ包装体を携行できる。このため、ＰＴＰには、薬剤の商品名、用法等の表示部が形成されているものの、表示部は、余白の一部や、蓋体に形成されることが多く、表示できる情報が制限されたり、携行時に小分けにすると表示部が失われたり、被包装物を取り出した後に読み取れなくなるという問題がある。
こうした問題に対し、例えば、包装体の耳の部分に、薬剤の詳しい情報を表示した薬剤の包装体が提案されている（例えば、特許文献１）。
【０００４】
また、ＰＴＰは、被包装物が容易に取り出されるように、蓋材の材質が破れやすいものとされている。このため、例えば、特許文献１の発明のＰＴＰを携行すると、凹部の膨出面が不意に押されて、蓋体が破れ被包装物が放出されてしまったり、他の物品との擦れ等によって、蓋体にピンホール等が形成され、凹部内の被包装物が汚染されてしまったりするという問題がある。
こうした問題に対し、ＰＴＰを二つ折りにして係合させ、携行時又は保管時における蓋体の破損の防止を図った発明が提案されている。
例えば、ＰＴＰに折り畳み線を入れておき、必要に応じて蓋が内側になるように折り曲げ、折り畳み線から離れた端部付近に設けた係合用切込線に、他端を指し込み脆弱な蓋を保護する内容物保護包装体が提案されている（例えば、特許文献２）。
あるいは、被収容物を収容するポケットを有するポケット形成部とポケット形成部から一体にして延び、折り返し部を経て折り返された補強カバー部と補強カバー部をポケット形成部に着脱可能に固定する固定装置とを含むプラスチックシートと、ポケットの開口部を閉塞し、補強カバー部に覆われたシール域を有し、ポケット形成部に貼り合わされたフィルム材とを備える包装容器が提案されている（例えば、特許文献３）。
【先行技術文献】
【特許文献】
【０００５】
【特許文献１】特開２００８−６１９７６号公報
【特許文献２】特開２０１１−４２３９２号公報
【特許文献３】国際公開第２０１１／５２４２２号
【発明の概要】
【発明が解決しようとする課題】
【０００６】
しかしながら、特許文献２〜３の発明では、ＰＴＰを二つ折りし、係合させる操作が煩雑であるという問題がある。加えて、特許文献３の発明は、補強カバー部の端部を折り曲げて固定装置を形成していているため、固定装置の構造が複雑であり、製造方法が煩雑であるという問題がある。さらに、特許文献２〜３は、用法等を使用者に読み取らせることに対し、全く考慮されていない。
そこで、本発明は、携行時や保管時に蓋体が破損するのを容易に防止でき、かつ容易に製造できるＰＴＰを目的とする。
【課題を解決するための手段】
【０００７】
本発明のプレススルーパックは、基材シートの一方の面に開口し被包装物を収容する凹部が形成された容体と前記凹部の開口面を塞ぐ蓋体とを備え、前記凹部が形成された領域である収容部と該収容部に延設された延設部とが形成され、前記収容部と前記延設部との境界に前記蓋体を内側にして折り曲げる折曲部が形成され、前記折曲部で折り曲げられた際に、前記収容部と前記延設部とを係合する係合構造を備えるプレススルーパックにおいて、前記係合構造は、前記収容部及び前記延設部のそれぞれの端部に形成された切込線であることを特徴とする。
前記延設部には、前記容体の露出面から目視で読み取り可能な表示部が形成されていることが好ましい。
【０００８】
本発明のプレススルーパック包装体は、本発明の前記プレススルーパックに、薬剤が収容されたことを特徴とする。
【発明の効果】
【０００９】
本発明のプレススルーパックによれば、基材シートの一方の面に開口し被包装物を収容する凹部が形成された容体と前記凹部の開口面を塞ぐ蓋体とを備え、前記凹部が形成された領域である収容部と該収容部に延設された延設部とが形成され、前記収容部と前記延設部との境界に前記蓋体を内側にして折り曲げる折曲部が形成され、前記折曲部で折り曲げられた際に、前記収容部と前記延設部とを係合する係合構造を備え、前記係合構造は、前記収容部及び前記延設部のそれぞれの端部に形成された切込線であるため、携行時や保管時に蓋体が破損するのを容易に防止でき、かつ容易に製造できる。
本発明のプレススルーパックによれば、容体の延設部には、表示部が形成されているため、使用者が包装物に関する情報を容易に確認できる。
【００１０】
本発明のプレススルーパック包装体によれば、本発明の前記プレススルーパックに、薬剤が収容されているため、携行時や保管時に、不意に薬剤が放出されたり、薬剤が汚染されたりするのを防止できる。
【図面の簡単な説明】
【００１１】
【図１】（ａ）本発明の一実施形態にかかるプレススルーパック包装体の平面図である。（ｂ）図１（ａ）のＢ−Ｂ断面図である。
【図２】本発明の一実施形態にかかるプレススルーパック包装体の斜視図である。
【図３】本発明の一実施形態にかかるプレススルーパック包装体の側面図である。
【図４】本発明の一実施形態にかかるプレススルーパックの平面図である。
【図５】本発明の一実施形態にかかるプレススルーパックの平面図である。
【発明を実施するための形態】
【００１２】
本発明の一実施形態にかかるＰＴＰ包装体について、以下に図１を参照して説明する。
図１（ｂ）に示すように、ＰＴＰ包装体１は、被包装物６０をＰＴＰ２に収容してなるものである。
本実施形態のＰＴＰ包装体１は、１回に使用される被包装物６０が１包装単位とされたものである。即ち、本実施形態の被包装物は、用法が２個／回のものである。
被包装物６０としては、特に限定されず、例えば、錠剤、カプセル剤等の医薬品又は医薬部外品等の薬剤、ガム等の食品等が挙げられる。薬剤の服用時又は食品の喫食時に、表示部５０により商品名や用法を確認できるため、ＰＴＰ２を薬剤や食品の包装材として用いることが好ましく、薬剤の包装材として用いることがより好ましい。
【００１３】
図１（ａ）、（ｂ）に示すように、ＰＴＰ２は、基材シートの一方の面に開口し被包装物６０を収容する凹部２０がこの基材シートの他方の面に膨出して形成された容体３と、凹部２０の開口面２２を塞ぐ蓋体４とを備え、全体として平面視略矩形とされている。略矩形とは、矩形の他、矩形の頂部を直線や曲線で隅切りした形状を含む概念である。
また、ＰＴＰ２は、２個の凹部２０が形成された領域である収容部１０と、収容部１０に延設された延設部３０とが形成されている。延設部３０は、開口面２２と略面一なものとされ、収容部１０と延設部３０との境界には、側端６から側端８にわたる折曲部４０が形成されている。即ち、ＰＴＰ２は、折曲部４０により収容部１０と延設部３０とに区画されている。
本実施形態において、折曲部４０は、第一の端部１１から第二の端部３１までの距離を略二分する位置に形成されている。「略面一」とは、目視にて面一と認識できる状態を意味する。
【００１４】
収容部１０には、第一の端部１１から折曲部４０に向かう第一の切込線１２が形成され、延設部３０には、第一の端部１１と対向する第二の端部３１から折曲部４０に向かう第二の切込線３２が形成されている。本実施形態においては、第一の切込線１２と第二の切込線３２とで、収容部１０と延設部３０とを係合する係合構造が構成されている。
また、容体３の延設部３０には、表示部５０が形成されている。この表示部５０は、凹部２０の膨出方向から目視できるものである。
【００１５】
容体３を構成する基材シートとしては、被包装物６０の種類等を勘案して選択され、例えば、ポリ塩化ビニル、無延伸ポリプロピレン（ＣＰＰ）等の樹脂製シート、又は樹脂製シートとアルミニウム箔等の金属箔もしくは金属蒸着シートとの積層体等が挙げられる。
また、基材シートとしては、例えば、透明もしくは半透明等、外部から被包装物６０を視認できるもの、外部から被包装物６０を視認できない程度に着色されたもの、あるいは金属箔や金属蒸着シートを有し遮光性を備えるもの等が挙げられ、被包装物６０の種類等に応じて適宜選択される。
基材シートの厚さは、基材シートの材質等を勘案して決定され、例えば、５０〜１００μｍとされる。
【００１６】
本実施形態において、蓋体４は、容体３における開口面２２が臨む側の面全体を覆うように設けられている。
蓋体４は、破れやすい材質のものが選択され、例えば、アルミニウム箔等の金属箔や、蝋紙等が挙げられる。
蓋体４の厚さは、蓋体４の材質等を勘案して決定され、例えば、１０〜１００μｍとされる。
【００１７】
凹部２０は、有底略円筒状とされ、折曲部４０に沿って２個並んで形成されている。
凹部２０の大きさは、被包装物６０の大きさに応じて適宜決定される。
【００１８】
折曲部４０は、蓋体４を内側にして、ＰＴＰ２を折り曲げられるものであればよく、例えば、ミシン目線、罫線等が挙げられ、中でも、ミシン目線が好ましい。ミシン目線であれば、ＰＴＰ２を折り曲げる操作を繰り返しても、収容部１０と延設部３０とが切り離されにくいためである。折曲部４０は、１本のミシン目線又は罫線等で構成されていてもよく、略平行に並べられた２本以上のミシン目線又は罫線等で構成されていてもよい。
折曲部４０をミシン目線とする場合、ミシン目線の形状は特に限定されないが、例えば、ＰＴＰ２を厚さ方向に貫通して形成された貫通部の長さＬ１と、任意の貫通部と該任意の貫通部に近接する他の任意の貫通部との間に形成された接続部の長さＬ２とが、Ｌ１：Ｌ２＝３：１〜２：３であることが好ましい。上記範囲内であれば、ＰＴＰ２をより折り曲げやすく、かつ収容部１０と延設部３０とがより切り離されにくくなる。
貫通部の長さＬ１は、基材シートの厚さや材質等を勘案して適宜決定され、例えば、１〜５ｍｍが好ましい。上記下限値以上であれば、ＰＴＰ２を折り曲げやすく、上記上限値以下であれば、収容部１０と延設部３０とが切り離されにくい。
接続部の長さＬ２は、基材シートの厚さや材質等を勘案して適宜決定され、例えば、０．８ｍｍ以上が好ましく、１〜５ｍｍがより好ましい。上記下限値以上であれば、収容部１０と延設部３０とが切り離されにくく、上記上限値以下であれば、ＰＴＰ２を折り曲げやすい。
【００１９】
第一の切込線１２は、第一の端部１１に位置する始端１３から終端１４に向かう直線であり、仮想線Ｑと略平行で、かつ仮想線Ｑと離間して形成されている（図１（ａ））。仮想線Ｑは、折曲部４０と平面視略直交し、かつ折曲部４０の長さを略二分するものである。
第一の切込線１２の長さ、即ち、始端１３から終端１４までの距離は、容体３の材質等を勘案して決定でき、例えば、２〜１０ｍｍの範囲で適宜決定される。
【００２０】
第二の切込線３２は、第二の端部３１に位置する始端３３から終端３４に向かう直線であり、仮想線Ｑと略平行で、かつ仮想線Ｑと離間して形成されている。加えて、第二の切込線３２は、仮想線Ｑを基準として第一の切込線１２が形成されている側と反対側に形成されている。即ち、第二の切込線３２は、仮想線Ｑと折曲部４０との交点Ｐを対称点として、第一の切込線１２と点対称のものとされている。
第二の切込線３２の長さは、第一の切込線１２の長さと同様である。
【００２１】
本実施形態の表示部５０は、凹部２０に収容された被包装物６０の商品名、用法及び効能に関する情報が表示されたものである。
表示部５０としては、容体３の材質等を勘案して形成されればよく、例えば、容体３の露出面に印字されたものが挙げられる。また、例えば、基材シートが透明又は半透明である場合、容体３と蓋体４との間に形成されたものであってもよい。
【００２２】
本実施形態のＰＴＰ包装体１の製造方法の一例について説明する。
まず、開口面２２が鉛直上方を臨むように、基材シートに凹部２０を形成して容体３とし、容体３の凹部２０に被包装物６０を収容する。凹部２０の形成方法としては、従来公知のＰＴＰの製造方法を用いることができる。
【００２３】
凹部２０に被包装物６０を収容した後、容体３における開口面２２が臨む側の面に蓋体４を設け、開口面２２を塞ぐ。容体３に蓋体４を設ける方法としては、容体３と蓋体４とを熱溶着する方法、容体３と蓋体４とを接着剤で接着する方法等、従来公知の方法を用いることができる。
【００２４】
次いで、第一の端部１１から第二の端部３１までの距離を略二分する位置に折曲部４０を形成する。加えて、第一の端部１１に第一の切込線１２を形成し、第二の端部３１に第二の切込線３２を形成する。
こうして、ＰＴＰ２に形成された凹部２０内に被包装物６０が収容されたＰＴＰ包装体１が得られる。
【００２５】
次に、本実施形態のＰＴＰ包装体１の使用方法の一例について、図１〜３を用いて説明する。
まず、蓋体４を内側とし、第一の端部１１と第二の端部３１とを重ね合わせるように、ＰＴＰ包装体１を折曲部４０で折り曲げ、収容部１０の蓋体４と延設部３０の蓋体４とが対向し当接した状態のＰＴＰ包装体１ａとする（図２）。この段階では、第一の切込線１２と第二の切込線３２とは互いにずれて位置している。
次いで、第一の切込線１２と第二の切込線３２とを捻り合わせるようにして、収容部１０と延設部３０とを係合させる。この際、第一の切込線１２の片側に位置する部分（第一の係合片）１２ａが第二の切込線３２に挿入され、第二の切込線３２の片側に位置する部分（第二の係合片）３２ａが第一の切込線１２に挿入されて、係合部４２が形成される（図３）。
こうして、蓋体４を内側にして二つ折りにされ、係合部４２により二つ折りの形態が保持されたＰＴＰ包装体１ａが得られる。
このＰＴＰ包装体１ａは、収容部１０の蓋体４が延設部３０によって覆われているため、携行時や保管時に、蓋体４が破損されにくいものとなっている。加えて、ＰＴＰ包装体１ａは、対向した蓋体４同士の一部又は全部が当接しているため、誤って膨出面２４が押されても、被包装物６０が凹部２０から容易に放出されない。
【００２６】
ＰＴＰ包装体１ａから被包装物を取り出す際には、係合部４２の係合を解除し、折曲部４０を軸として、第二の端部３１を第一の端部１１から引き離すように操作して、図１のＰＴＰ包装体１の状態とする。
次いで、膨出面２４を指で押すと、開口面２２を覆っている蓋体４が破れ、被包装物６０が凹部２０から取り出される。この際、使用者は、膨出面２４が形成された面を手前にし、膨出面２４を押すため、表示部５０を目視で確認できる。加えて、延設部３０は、収容部１０から切り離されたり、破損されていないため、使用者は、被包装物６０を取り出した後にも、表示部５０に表示された情報を確認できる。
【００２７】
上述の通り、本実施形態のＰＴＰは、係合構造を備えるため、蓋体を内側にし、折曲部で折り曲げて、収容部と延設部とを対向させた状態を保持できる。このため、携行時又は保管時に、開口面を覆う蓋体が破損するのを防止できる。加えて、携行時に誤って膨出面が押されても、被包装物が凹部から放出されにくい。
本実施形態のＰＴＰは、切込線同士を係合するという容易な操作で、二つ折りの状態を保持できる。加えて、係合構造が端部に形成された切込線で構成されているため、ＰＴＰを容易に製造できる。
本実施形態のＰＴＰは、延設部に表示部が形成されているため、使用時に、使用者が被包装物に関する情報を容易に確認できるものである。加えて、本実施形態のＰＴＰは、延設部に表示部が形成されているため、被包装物を取り出す際に表示部が破損され、被包装物の情報を確認できなくなることがない。
【００２８】
本発明は、上述の実施形態に限定されるものではない。
上述の実施形態では、第一及び第二の切込線が、仮想線Ｑと略平行とされているが、本発明はこれに限定されず、端部を始端とし、互いに係合できるものであれば、第一及び第二の切込線がいかなる形状のものであってもよい。
例えば、図４のＰＴＰ１０２のように、第一の切込線１１２が仮想線Ｑと交差する直線であり、第二の切込線１３２が仮想線Ｑと交差する直線であってもよい。なお、第一の切込線１１２と第二の切込線１３２とは、交点Ｐを対称点として点対称のものとされている。
また、例えば、図５のＰＴＰ２０２のように、第一の切込線２１２が仮想線Ｑと交差するジグザグ状のものであり、第二の切込線２３２が仮想線Ｑと交差するジグザグ状のものであってもよい。なお、第一の切込線２１２と第二の切込線２３２とは、交点Ｐを対称点として点対称のものとされている。
あるいは、切込線が、略円弧状のものであってもよい。
ただし、切込線としては、収容部と延設部とをより容易に係合し、かつＰＴＰ包装体が二つ折りにされた状態を容易に維持する観点から、仮想線Ｑと交差する直線又はジグザグ線が好ましい。
加えて、第一の切込線と第二の切込線とは、略同等の形状であってもよいし、異なる形状であってもよい。
【００２９】
上述の実施形態では、第一の切込線と第二の切込線とが、折曲部を挟んで対向する端部に形成されている。しかしながら、本発明はこれに限定されず、第一の切込線と第二の切込線とは、折曲部で折り曲げられた際に、収容部と延設部とを係合できるものであればよく、例えば、折曲部の両端側の端部（図１（ａ）の側端６又は側端８）に形成されていてもよい。ただし、切込線同士を係合させやすくさせる点で、第一の切込線と第二の切込線とは、折曲部４０を挟んで対向する端部に形成されていることが好ましい。
【００３０】
上述の実施形態では、収容部と延設部とには、それぞれ１ずつ切込線が形成されているが、本発明はこれに限定されず、収容部と延設部とに、それぞれ２以上の切込線が形成されていてもよいし、収容部に形成された切込線の数と延設部に形成された切込線の数とが異なるものであってもよい。
【００３１】
上述の実施形態では、ＰＴＰは平面視略矩形とされているが、本発明はこれに限定されず、例えば、平面視真円形、平面視楕円形等の平面視略円形であってもよいし、矩形以外の平面視略多角形であってもよい。
【００３２】
上述の実施形態では、凹部が有底略円筒状とされているが、凹部の形状は、被包装物の形状に応じて選択できる。例えば、凹部の形状が、有底略多角筒状とされていてもよい。
【００３３】
上述の実施形態では、１個のＰＴＰに２個の凹部が形成されているが、本発明はこれに限定されず、１個のＰＴＰに形成される凹部が１個でもよいし、３個以上であってもよい。
また、上述の実施形態では、２個の凹部が、折曲部に沿って並べられているが、本発明はこれに限定されず、１以上の凹部が折曲部に沿って並べられて列とされ、この列が第一の端部から折曲部に向かう方向に２列以上形成されていてもよい。
【００３４】
上述の実施形態では、１回に使用される数量の被包装物が１包装単位としてＰＴＰで包装されている。しかしながら、本発明は、これに限定されず、例えば、１回に使用される数量毎に切り離し可能とされていてもよいし、２回以上の使用分が１包装単位としてＰＴＰで包装されていてもよい。
【００３５】
上述の実施形態では、容体の延設部に表示部が形成されているが、本発明はこれに限定されず、延設部に表示部が形成されていなくてもよい。
あるいは、表示部は、蓋体の延設部に形成されていてもよい。
ただし、使用者に対し、被包装物に関する情報を容易に確認させたり、使用上の注意を喚起したりする観点から、表示部は、容体の延設部に形成されていることが好ましい。
【００３６】
本実施形態の表示部は、被包装物の商品名、用法及び効能に関する情報が表示されたものであるが、本発明はこれに限定されず、表示部は、例えば、使用期限、消費期限、賞味期限等を表示したものであってもよいし、注意表示を表示したものであってもよい。
【００３７】
上述の実施形態では、蓋体が、容体における開口面が臨む側の面全体を覆うように設けられているが、蓋体は、開口面を覆うものであればよく、容体における開口面が形成された面の一部を覆うように設けられていてもよい。
【符号の説明】
【００３８】
１、１ａ  プレススルーパック包装体
２、１０２、２０２    プレススルーパック
３    容体
４    蓋体
６、８  側端
１０  収容部
１１  第一の端部
１２、１１２、２１２  第一の切込線
２０  凹部
２２  開口面
２４  膨出面
３０  延設部
３１  第二の端部
３２、１３２、２３２  第二の切込線
４０  折曲部
４２  係合部
５０  表示部
【図１】
2013119397.tif 000003
【図２】
2013119397.tif 000004
【図３】
2013119397.tif 000005
【図４】
2013119397.tif 000006
【図５】
2013119397.tif 000007